(57)【要約】【課題】金網、フェンス、コンクリート、支柱、ロープ等の建築物につる性植物が巻きついて生育したり、はい上がって生育することを抑制する塗料及びその生育抑制方法を提供する。【解決手段】オーキシン活性を有する化合物、例えば２，４−ジクロロフェノキシ酢酸、２−メチル−４−クロロフェノキシ酢酸、２−メチル−４−クロロフェノキシ酪酸、α−（２−メチル−４−クロロフェノキシ）プロピオン酸、３，５，６−トリクロロ−２−ピリジルオキシ酢酸、トリエチルアンモニウム＝３，５，６−トリクロロ−２−ピリジルオキシアセタート、ブトキシエチル＝３，５，６−トリクロロ−２−ピリジルオキシアセタート、（ＲＳ）−２−（２，４−ジクロロ−ｍ−トリルオキシ）プロピオンアニリド、α−（２−ナフトキシ）プロピオンアニリド、それらの塩及び誘導体を有効成分として含有することを特徴とする、つる性植物の生育抑制用塗料。【選択図】  なし【特許請求の範囲】
【請求項１】
オーキシン活性を有する化合物を有効成分として含有することを特徴とする、つる性植物の生育抑制用塗料。
【請求項２】
前記オーキシン活性を有する化合物が、フェノキシ酸系化合物、芳香族カルボン酸系化合物からなる群から選ばれる少なくとも１種以上である請求項１に記載のつる性植物の生育抑制用塗料。
【請求項３】
前記フェノキシ酸系化合物が、２，４−ジクロロフェノキシ酢酸、その塩及びその誘導体、２−メチル−４−クロロフェノキシ酢酸、その塩及びその誘導体、２−メチル−４−クロロフェノキシ酪酸、その塩及びその誘導体、α−（２−メチル−４−クロロフェノキシ）プロピオン酸、その塩及びその誘導体、３，５，６−トリクロロ−２−ピリジルオキシ酢酸、その塩及びその誘導体、トリエチルアンモニウム＝３，５，６−トリクロロ−２−ピリジルオキシアセタート、その塩及びその誘導体、ブトキシエチル＝３，５，６−トリクロロ−２−ピリジルオキシアセタート、その塩及びその誘導体、（ＲＳ）−２−（２，４−ジクロロ−ｍ−トリルオキシ）プロピオンアニリド、その塩及びその誘導体、α−（２−ナフトキシ）プロピオンアニリド、その塩及びその誘導体、からなる群から選ばれる少なくとも１種以上である請求項２に記載のつる性植物の生育抑制用塗料。
【請求項４】
前記芳香族カルボン酸系化合物が、３，６−ジクロロ−２−メトキシ安息香酸、その塩及びその誘導体、４−アミノ−３，５，６−トリクロロ−２−ピリジンカルボン酸、その塩及びその誘導体、からなる群から選ばれる少なくとも１種以上である請求項２に記載のつる性植物の生育抑制用塗料。
【請求項５】
塗膜形成成分を含有する請求項１乃至４のいずれかに記載のつる性植物の生育抑制用水性塗料。
【請求項６】
エマルジョン型塗料である請求項５記載のつる性植物の生育抑制用水性塗料。
【請求項７】
オーキシン活性を有する化合物を有効成分として含有する塗料を建築物に塗布することを特徴とする、つる性植物の生育抑制方法。
【請求項８】
前記オーキシン活性を有する化合物が、フェノキシ酸系化合物、芳香族カルボン酸系化合物からなる群から選ばれる少なくとも１種以上である請求項７に記載のつる性植物の生育抑制方法。
【請求項９】
前記フェノキシ酸系化合物が、２，４−ジクロロフェノキシ酢酸、その塩及びその誘導体、２−メチル−４−クロロフェノキシ酢酸、その塩及びその誘導体、２−メチル−４−クロロフェノキシ酪酸、その塩及びその誘導体、α−（２−メチル−４−クロロフェノキシ）プロピオン酸、その塩及びその誘導体、３，５，６−トリクロロ−２−ピリジルオキシ酢酸、その塩及びその誘導体、トリエチルアンモニウム＝３，５，６−トリクロロ−２−ピリジルオキシアセタート、その塩及びその誘導体、ブトキシエチル＝３，５，６−トリクロロ−２−ピリジルオキシアセタート、その塩及びその誘導体、（ＲＳ）−２−（２，４−ジクロロ−ｍ−トリルオキシ）プロピオンアニリド、その塩及びその誘導体、α−（２−ナフトキシ）プロピオンアニリド、その塩及びその誘導体、からなる群から選ばれる少なくとも１種以上である請求項８に記載のつる性植物の生育抑制方法。
【請求項１０】
前記芳香族カルボン酸系化合物が、３，６−ジクロロ−２−メトキシ安息香酸、その塩及びその誘導体、４−アミノ−３，５，６−トリクロロ−２−ピリジンカルボン酸、その塩及びその誘導体、からなる群から選ばれる少なくとも１種以上である請求項８に記載のつる性植物の生育抑制方法。
【請求項１１】
請求項５又は６の塗料を建築物に塗布することを特徴とする、つる性植物の生育抑制方法。
【発明の詳細な説明】
【０００１】
【発明の属する技術分野】
本発明は、つる性植物が金網、フェンス、コンクリート、支柱、ロープ等の建築物に巻きついて生育したり、はい上がって生育することを抑制する塗料組成物に関するものである。さらに詳しくは、道路およびその周辺のフェンス、コンクリート、金網をはじめ住宅等の外壁、金網およびフェンス、コンクリート、支柱、ロープ等に対して、つる性植物の生育を抑制する塗装に有用な塗料および方法に関するものである。
【０００２】
【従来の技術】
通常、塗装対象面に塗布して塗膜を形成させることにより、対象面を水分や紫外線などの自然劣化条件から守るとともに美観を付与するために塗料が使用され、防かび、防藻、防汚染を行なうための機能を有する塗料も使用されている。
一方、つる性植物が金網、外壁等に絡みつき外観を損なったり、構造物に被害を与えたりすることがある。また、高速道路や一般道路のフェンス、コンクリートや金網に、つる性植物が絡み、視界不良原因になっていたり、道路の道幅をせばめたりする問題を生じることがある。また、電柱、送電塔などにつる性植物が巻き付き、設備の維持管理に手間がかかることがある。また、牧場などの電気フェンスの金網等につる性植物が絡みつき、それが原因でショートすることがある。
つる性植物の生育を防止するためには、物理的方法により除去する方法、除草剤により処理する方法がある。人手や機械により、つる性植物を物理的に除去する方法は、定期的な除去が必要な事やその為の人件費等のコストがかかる。
除草剤による方法は、除草剤を撒き定期的に除去する方法であるが、この方法は、道路に隣接する他の植物に影響を与える場合があり、散布作業にも労力がかかる。また、植物全体を枯らすため、景観上、環境上問題を生じる場合がある。
除草剤には、作用特性の面から分類されることが多く、ホルモン型、非ホルモン型、接触型、移行型などの類別がなされている。これらの除草剤は、植物によって選択制をもつこと、雑草の生育ステージによって左右されることが知られている。また、除草剤を処理する部位により効果に差があることも知られている（例えば、非特許文献１参照）。つる性植物は、一年生雑草や多年生雑草に分類され、多くの除草剤（ホルモン型、非ホルモン型）が、それらの除草に幅広く使用されている。しかし、例えば代表的な除草剤である３，４−ジクロロフェニル−１，１−ジメチルクレアは、つる性植物に散布すれば枯死させることができるものの、塗料に混入して用いてもつる性植物が巻きついて生育したり、はい上がって生育することを阻止することができないという問題がある。即ち、除草剤として知られていても、塗料として用いた場合には、つる性植物の巻きつき生育を防止することが可能な化合物については知られていない。
一方、つる性植物を生育抑制する方法としては、つる性植物の巻きつき、よじ登り等を抑制する方法としては、蔦などの巻き上り防止装置（例えば、特許文献１参照）が知られているが、遮光性樹脂を用いたつる性植物の巻き上がり防止装置にかかるものであり、つる性植物を生育抑制する塗料を用いたものでなく、簡便につる性植物の巻きつきやはい上がりを防止するものではない。
【０００３】
【非特許文献１】「最新  除草剤解説」１９８７年、企画・編集／日本植物調節剤研究協会
【特許文献１】特開平０９−１１９２３４号公報
【０００４】
【発明が解決しようとする課題】
本発明の目的は、金網、フェンス、コンクリート、支柱、ロープ等の建築物に巻きついて生育する、つる性植物が巻きついて生育したり、はい上がって生育することを抑制する塗料及びかかる植物の生育抑制方法を提供する。
【０００５】
【課題を解決するための手段】
本発明者らは、道路およびその周辺のフェンス、コンクリート、金網をはじめ住宅等の外壁、金網およびフェンス、コンクリート、支柱、ロープに対して、つる性植物の巻きつきやはい上がりを防止するのに効果がある化合物を種々検討した結果、オーキシン活性を有する化合物が有効であり、しかも塗料に配合して使用すると、長期間効果が持続するということを見出し本発明を完成した。
すなわち、本発明は、オーキシン活性を有する化合物を含有することを特徴とする、つる性植物生育抑制用塗料及びそれを塗布することによる、つる性植物の生育抑制方法に関する。
【０００６】
【発明の実施の形態】
本発明で使用されるオーキシン活性を有する化合物としては、例えば２，４−ジクロロフェノキシ酢酸、その塩及びその誘導体、２−メチル−４−クロロフェノキシ酢酸、その塩及びその誘導体、２−メチル−４−クロロフェノキシ酪酸、その塩及びその誘導体、α−（２−メチル−４−クロロフェノキシ）プロピオン酸、その塩及びその誘導体、３，５，６−トリクロロ−２−ピリジルオキシ酢酸、その塩及びその誘導体、トリエチルアンモニウム＝３，５，６−トリクロロ−２−ピリジルオキシアセタート、その塩及びその誘導体、ブトキシエチル＝３，５，６−トリクロロ−２−ピリジルオキシアセタート、その塩及びその誘導体、（ＲＳ）−２−（２，４−ジクロロ−ｍ−トリルオキシ）プロピオンアニリド、その塩及びその誘導体、α−（２−ナフトキシ）プロピオンアニリド、その塩及びその誘導体、３，６−ジクロロ−２−メトキシ安息香酸、その塩及びその誘導体、４−アミノ−３，５，６−トリクロロ−２−ピリジンカルボン酸、その塩及びその誘導体からなる群から選ばれる少なくとも１種である。
【０００７】
これらのオーキシン活性を有する化合物がつる性植物に対して生育抑制効果のある理由としては、以下の２点が理由として考えられる。
葉や茎部分から塗料中の化合物が吸収されやすいこと。
つる性植物の生長バランスが崩れて上手く巻きつけないこと。
ちなみに、オーキシンとは、「インドール酢酸と同じ生理活性を有する化合物の総称で、伸長成長の促進効果を有する。細胞膜に作用してその構造変化を引き起こし、酵素の活性化によりＤＮＡ−ＲＮＡ−タンパク質の生合成が促進され、細胞壁の弛緩−吸水−細胞の伸長につながるが、高濃度では植物を枯死させる。」ことをいう。（生化学辞典  第２版  東京化学同人、生理活性天然物化学  第２版  東京大学出版会）。
一方、オーキシン活性を有しない除草効果のある化合物、例えば３，４−ジクロロフェニル−１，１−ジメチルウレアでは、それを塗料中に含有させても、つる性植物の巻きつきを生育抑制することは出来なかった。この化合物（３，４−ジクロロフェニル−１，１−ジメチルウレア）は、直接つる性植物に噴霧することにより、つる性植物を枯らすことが出来るが、塗料に添加して使用してもつるの巻きつきを生育抑制する効果は認められなかった。
従って、本発明により、オーキシン活性を有する化合物を塗料に含有させることにより、植物を枯らすことなく、生育を抑制することが可能になった。
【０００８】
代表的なオーキシン化合物については、それぞれ以下の特徴を有する。
２，４−ジクロロフェノキシ酢酸は、１９４０年代の前半、主にアメリカで開発されたホルモン型の選択性除草剤で、広葉雑草を枯らし、イネ科の作物に対しては害作用が少ない。
２−メチル−４−クロロフェノキシ酢酸は、イギリスにおいて開発されたホルモン型除草剤で、日本では、水田の広葉雑草防除に用いられている。作用機序は、植物体内に吸収されると移行して、様々な生理的異常を生じさせる。土壌中で分解、不活性化されるが、効力持続期間は、夏期で約３５日とされている。土壌中での移動性はかなり大きい。
２−メチル−４−クロロフェノキシ酪酸は、イギリスで発見されたホルモン型の除草剤で、広葉雑草に対して選択的な殺草力を持つ。イネ科以外の水田一年生雑草に適用する。本剤は茎葉から吸収されると植物体内で２−メチル−４−クロロフェノキシ酢酸に変化すると考えられている。
α−（２−メチル−４−クロロフェノキシ）プロピオン酸は、イギリスで開発されたホルモン型の選択除草剤で、茎葉処理により芝生に生えるクローバー、チドメグサなどの広葉雑草に有効である。
３，５，６−トリクロロ−２−ピリジルオキシ酢酸、トリエチルアンモニウム＝３，５，６−トリクロロ−２−ピリジルオキシアセタートやブトキシエチル＝３，５，６−トリクロロ−２−ピリジルオキシアセタートは、アメリカのダウ・ケミカル社が開発した浸透移行性のホルモン型除草剤で、クズ、落葉雑灌木のほか畑地一年生雑草及び多年生広葉雑草の防除に用いられている。作用特性は、広葉雑草に効果を示すが、イネ科雑草には効かない。本剤は、雑草の茎葉から吸収され体内に移行して生理機能を阻害し枯死させるので、雑草の生えそろった雑草生育期の茎葉散布によって高い効果を示す。
（ＲＳ）−２−（２，４−ジクロロ−ｍ−トリルオキシ）プロピオンアニリドは、発生初期のコナギなどの水田一年生広葉雑草及びホタルイ、マツバイなどの多年生雑草に対して有効である。本化合物およびその遊離酸は、強いオーキシン活性を持ち、湛水状態の水田に処理することにより、雑草の茎葉部及び根部より吸収され、ホルモン作用をかく乱することにより雑草を枯らす。
α−（２−ナフトキシ）プロピオンアニリドは、オーキシン系の除草剤で、雑草の発生初期から盛期に散布すると、雑草の根部及び茎葉部から吸収されて速やかに植物体内を移行し、分裂や伸長の盛んな部位の生理作用をかく乱することにより、各部位に奇形を生じるなどにより殺草効果を発揮する。
３，６−ジクロル−２−メトキシ安息香酸、その塩及びその誘導体は、アメリカのベルシコール社が開発したホルモン型除草剤で、イネ科雑草には効果はないが、広葉樹に対しては一年生、多年生を問わず効果がある。作用特性としては、広葉雑草、特にタデ科、アカザ科の雑草に効果を示すホルモン型の選択的除草剤である。芝生の雑草、特にクローバーの除草に適する。茎葉散布により、短時間で吸収し植物内を移動するが、効果の発現は比較的遅く、枯死までにかなりの時間を要するが、効果の持続性は長く４１日以上あると考えられる。処理時期は雑草の発生前より発生後がよく、雑草は茎の屈曲、葉の異常などのオーキシン活性を基本とし、細胞分裂組織を阻害し正常な成育の抑制により成長を停止する。
４−アミノ−３，５，６−トリクロロ−２−ピリジンカルボン酸は、オーキシン型の植物ホルモン作用を示し、雑木や多年生広葉雑草の防除に使用される。
上記のようにオーキシン活性を有する化合物は、つる性植物を含めた広範囲の雑草に対する除草効果をもつが、塗料に含有させた場合に、つる性植物に対する巻きつき生育抑制効果は不明であった。
尚、上記オーキシン化合物のうち、入手が簡便であることと、塗料に添加した場合により長期間に亘って効果が持続することから、２−メチル−４−クロロフェノキシ酢酸、２−メチル−４−クロロフェノキシ酪酸、３，６−ジクロロ−２−メトキシ安息香酸、それらの塩及び誘導体が好ましい。
【０００９】
本発明において、塗料にオーキシン活性を有する化合物を配合する方法も特に制限はないが、例えば、オーキシン活性を有する化合物を塗料組成物に配合する方法が一般的である。また、かかるオーキシン活性を有する化合物の含有量は、樹脂固形分に対して好ましくは０．２〜３０質量％、より好ましくは０．５〜２０質量％である。かかる量の範囲であれば、つる性植物の生育抑制効果が発揮され、且つ樹脂の特性、特に耐候性や強度の長期保持に優れている。
【００１０】
本発明における塗料において、樹脂からなる塗膜形成成分、溶媒や他の添加剤などからなる塗膜形成助成分などに制限はない。つまり、本発明は、水性塗料、有機溶剤型塗料をはじめ、粉体塗料などの無溶剤型塗料にも適用できる。また、これらの塗膜形成成分（樹脂）の種類に制限はなく、合成樹脂、天然樹脂のいずれでもよい。また、本発明は、無機塗料にも適用することができる。特に、植物が塗料表面の水分と接触することにより、塗料中のオーキシン活性を有する化合物を吸収しやすいため、水との親和性の高い水性塗料、とりわけエマルジョン型塗料が好ましい。
【００１１】
水性塗料としては、水溶液型とエマルジョン型があげられ、樹脂成分としては、例えば、アルキド樹脂、ポリエステル樹脂、アクリル樹脂、エポキシ樹脂、フッ素樹脂、フェノール樹脂、アミノ樹脂、メラミン樹脂、ウレタン樹脂、シリコン樹脂およびこれらの変性樹脂などがあげられ、これらは単独もしくは２種類以上組み合わせて使用することが出来る。なお、この中には、架橋型アクリルエマルジョンや該エマルジョンと水性ポリウレタン樹脂との併用による架橋型エマルジョンも含まれる。一方、有機溶剤型塗料の樹脂成分としては、例えば、アルキド樹脂、ポリエステル樹脂、アクリル樹脂、エポキシ樹脂、フッ素樹脂、フェノール樹脂、アミノ樹脂、メラミン樹脂、ウレタン樹脂、シリコン樹脂およびこれらの変性樹脂などがあげられ、これらは単独もしくは２種類以上組み合わせて用いることが出来る。また、これらの中には架橋型の樹脂も含まれる。有機溶剤型塗料における溶剤の種類もなんら制限はなく、用途に応じて選択できる。例えば、脂肪族系および芳香族系溶剤、植物性溶剤、アルコール類溶剤、エステル系溶剤、ケトン系・エーテル系溶剤、塩素化合物溶剤などがあげられる。
【００１２】
本発明の塗料としては、床などに塗布するワックス類や接着剤も対象物表面に皮膜を形成させる点では、同じ利用方法であり、組成上も共有点が多いことから、広義の塗料組成物と考えることができ、本発明の効果が得られる分野である。また、塩化ビニールなどを被覆させた金網も利用されることがあるが、これら塩化ビニールに本薬剤を含む塗料を添付したり、練り込んだりすることも本発明の効果が得られる分野である。
【００１３】
本発明に於いて、つる性植物とは、茎がまきついたり（巻きつき植物）、巻きひげ、気根、とげなどでものにひっかかり立ち上げあがる植物（よじのぼり植物）をつる性植物という。
つる性植物には、以下の植物があげられる。
キンポウゲ科：
カザグルマ、センニンソウ、コボタンズル、ボタンズル、コバノボタンズル、ミヤマハンショウズル
ブドウ科：
ツタ、ウドカズラ、ヤブガラシ、ノブドウ、エビヅル、ヤマブドウ、サンカクヅル
ウルシ科：
ツタウルシ
バラ科：
ナワシロイチゴ、ナニワイバラ、フユイチゴ
マメ科：
ノササゲ、タンキリマメ、トキリマメ、ノアズキ、ヤブツルアズキ、ハマナタマメ、クズ、ヤブマメ、ツルマメ、ノダフジ、ヤマフジ、ジャケットイバラ、ホド、イタチササゲ、クサフジ、ナヨクサフジ、ツルフジバカマ、ノハラクサフジ、オオバクサフジ、カラスノエンドウ、イブキノエンドウ、スズメノエンドウ、カスマグサ、ハカマカズラ
アケビ科：
ミツバアケビ、アケビ、ブヨウアケビ、ムベ
ムクロジ科：
フウセンカズラ
ウリ科：
アマチャズル、カラスウリ、キカラスウリ、モミジカラスウリ、オオカラスウリ、ミヤマニガウリ、スズメウリ、ゴキヅル、アレチウリ
アカネ科：
アカネ、クルマバアカネ、ヘクソカズラ、ハマサオトメカズラ、カギカズラ
クワ科：
カナムグラ、カラハナソウ、ツルコウゾ、オオイタビ、イタビカズラ
ユキノシタ科：
イワガラミ、ツルアジサイ
ニシキギ科：
ツルマサキ、ツルウメモドキ、テリハツルウメモドキ
キョウチクトウ科：
テイカカズラ、ツルニチニチソウ
リンドウ科：
ツルリンドウ、ホソバノツルリンドウ
スイカズラ科：
スイカズラ
ガガイモ科：
ガガイモ、イケマ、コイケマ、コカモメヅル、タチカモメヅル、キジョラン、シタキソウ、サクララン
ナデシコ科：
ナンバンハコベ
ヤマノイモ科：
ヤマノイモ、ナガイモ
マタタビ科：
マタタビ、ミヤママタタビ、サルナシ
クロタキカズラ科：
クロタキカズラ
モクレン科：
サネカズラ、マツブサ
ウコギ科：
キヅタ
グミ科：
マルバグミ、ツルグミ、ナワシログミ
コショウ科：
フウトウカズラ
ユリ科：
サルトリイバラ、ヤマガシュウ、シオデ、タチシオデ
タデ科：
ツルドクダミ、ツルダテ、オオツルイタドリ、ソバカズラ、ママコノシリヌグイ、イシミカワ
ヤマノイモ科：
オニドコロ、ヒメドコロ、ニガガシュウ、タチドコロ、ウチワドコロ、カエデドコロ、キクバドコロ
ツヅラフジ科：
アオツヅラフジ、ツヅラフジ、ハスノハカズラ、コウモリカズラ
ナス科：
ヒヨドリジョウゴ、マルバノホロシ
キキョウ科：
ツルニンジン、バアソブ、ツルギキョウ
ヒルガオ科：
ヒルガオ、コヒルガオ、ハマヒルガオ、セイヨウヒルガオ、マルバアサガオ、ノアサガオ、アメリカアサガオ、マメアサガオ、ホシアサガオ、マルバルコウソウウマノスズクサ科：
ウマノスズクサ
【００１４】
つる性植物の植物は、金網、外壁等に絡みつき外観を損なったり、構造物に被害を与えたりすることがある。また、高速道路や一般道路のフェンス、コンクリートや金網に、つる性植物が絡み、視界不良原因になっていたり、道路の道幅をせばめたりする問題を生じることがある。また、電柱、送電塔などにつる性植物がからみつき、設備の維持管理に手間がかかることがある。また、牧場などの電気フェンスの金網等につる性植物が絡みつき、それが原因でショートすることがある。また、つる性植物の中には、カナムグラのようにその花粉が、花粉症（アレルギー）の原因物質になり、環境問題を引き起こしている例がある。また、ヘクソカズラのように、全草に悪臭があり臭気が問題になる場合もある。
【００１５】
本発明の塗料の塗布方法は、特に限定されないが、比較的に塗布面積が狭い場合には刷毛刷りやコテ塗りで、広い面積の場合にはスプレー塗装で行うのが効率的である。場合によっては、フェンス、金網などの部材を予め本発明の塗料中にディッピングすることもできる。本発明の塗料の塗布量としては、一般的な塗料の塗布量で差し支えない。
また、本発明の塗料には、本発明の効果を損なわない限り他の添加剤、例えば増粘剤、分散剤、消泡剤、レベリング剤、チキソトロピック剤、紫外線吸収剤、熱安定剤、着色剤、無機充填材などを添加することができる。
【００１６】
【実施例】
次に本発明の実施例および試験例をあげて説明するが、本発明はこれらに限定されるものではない。
（実施例１〜３、比較例１〜１０）
酢酸ビニル系樹脂エマルジョン（ボンコート６６２０、大日本インキ化学工業）に、表１のように化合物を加え、支持棒（高さ８０ｃｍ、直径１ｃｍ）に塗布した。実験開始後１ヶ月後のアメリカアサガオの巻きつき結果を観察した。また例中の％はエマルジョン中の樹脂固形分に対する質量％を示す。
【００１７】
【表１】
2004345992.tif 000002
【００１８】
また、植木鉢に、ソライロアサガオ（学名：Ｉｐｏｍｏｅｒａ  ｔｒｉｃｏｌｏｒ、和名：ソライロアサガオ、タキイ種苗（株））を２葉になるまで生育させた後、隣接する植木鉢に上記各例の塗料を塗布した支持棒を立て、ソライロアサガオのつるが、支持棒に巻きつくかどうかを検討した。隣接した植木鉢に支持棒を立てた理由は、支持棒から溶出した成分が土壌中に移行し、生育を防止するのを防ぐためである。実施例１〜３はソライロアサガオのつるは、巻きつき始めるが、支持棒に接触すると、その部分から指示棒に対する生育抑制が始まり、最終的には指示棒の全長にはソライロアサガオの巻きつきがみられない。
一方、比較例１〜１０についても、植木鉢にソライロアサガオを２葉になるまで生育させた後、隣接する植木鉢に塗布した支持棒を立て、ソライロアサガオのつるが、支持棒に巻きつくかどうかを検討した。比較例１〜１０では、ソライロアサガオのつるは、支持棒に接触しても、その部分で生育抑制が起こらず、指示棒の全長への巻きつきが見られた。最終的にはソライロアサガオの生育に影響がみられなかった。
【００１９】
参考迄に、比較例として用いた化合物（薬剤）の特性を表２に示す。
【表２】
2004345992.tif 000003
【００２０】
（実施例４〜１５、比較例１１〜１６）
酢酸ビニル系樹脂エマルジョン樹脂（ボンコート６６２０、大日本インキ化学工業）に、表３および表４のように薬剤を加え、支持棒（高さ８０ｃｍ、直径１ｃｍ）に塗布した。実験開始後１ヶ月後のアメリカアサガオの巻きつき結果を観察した。また例中の％はエマルジョン中の樹脂固形分に対する質量％を示す。
【００２１】
【表３】
2004345992.tif 000004
【００２２】
【表４】
2004345992.tif 000005
【００２３】
また、植木鉢に、ソライロアサガオ（学名：Ｉｐｏｍｏｅｒａ  ｔｒｉｃｏｌｏｒ、和名：ソライロアサガオ、タキイ種苗（株））を２葉になるまで生育させた後、隣接する植木鉢に試料を塗布した支持棒を立て、ソライロアサガオのつるが、支持棒に巻きつくかどうかを検討した。実施例４〜１５はソライロアサガオのつるは、巻きつき始めるが、支持棒に接触すると、その部分から指示棒に対する生育抑制が始まり、最終的には指示棒の全長にはソライロアサガオの巻きつきがみられない。
一方、比較例１１〜１６についても、植木鉢にソライロアサガオを２葉になるまで生育させた後、隣接する植木鉢に塗布した支持棒を立て、ソライロアサガオのつるが、支持棒に巻きつくかどうかを検討した。比較例１１〜１６では、ソライロアサガオのつるは、支持棒に接触しても、その部分から生育抑制が起こらず、指示棒の全長への巻きつきが見られた。最終的にはソライロアサガオの巻きつきに影響がみられなかった。ここで、用いた比較例１１〜１５は、広く除草剤に使用されている有効成分であり、ソライロアサガオを枯らす作用が有ることが知られている。
【００２４】
（実施例１６〜２３，比較例１７）
水系アクリル系塗料の配合は以下の通りとした。
チタン白：２２％、
マイカ：３％、
タルク：８％、
アクリルエマルジョン（大日本インキ化学工業株式会社、ボンコートＥＣ−８１８、大日本インキ化学工業）：３３％、
増粘剤（カルボキシメチルセルロース）：１０％、
トリポリリン酸カリ０．１重量％、
分散剤（ポリオキシエチレンアルキルフェノールエーテル）：０．７重量％、
シリコン系消泡剤（東レシリコンＳＭ５５１２）：０．２重量％、
エチレングリコール：２重量％、
純水：２０重量％
この水性アクリル塗料に、表５のように化合物（薬剤）を加え、支持棒（高さ８０ｃｍ、直径１ｃｍ）に塗布した。実験開始後１ヶ月後のアメリカアサガオの巻きつき結果を観察した。例中の％は塗料中の樹脂固形分に対する質量％を示す。
【００２５】
【表５】
2004345992.tif 000006
【００２６】
植木鉢に、ソライロアサガオ（学名：Ｉｐｏｍｏｅｒａ  ｔｒｉｃｏｌｏｒ、和名：ソライロアサガオ、タキイ種苗（株））を２葉になるまで生育させた後、隣接する植木鉢に試料を塗布した支持棒を立て、ソライロアサガオのつるが、支持棒に巻きつくかどうかを検討した。隣接した植木鉢に支持棒を立てた理由は、支持棒から溶出した成分が土壌中に移行し、生育を防止するのを防ぐためである。実施例１６〜２３はソライロアサガオのつるは、巻きつき始めるが、表６のように薬剤濃度に従って巻きついたつるの長さが短くなっている。また、１カ月以降に於いても、つるの伸長は見られず、逆に、接触部から生育抑制が起こる。従って、つるの巻きつきが抑えられている。なお、ソライロアサガオが巻きつき始める位置は、指示棒の約３０ｃｍ付近である。
一方、比較例１７についても、植木鉢にソライロアサガオを２葉になるまで生育させた後、隣接する植木鉢に塗布した支持棒を立て、ソライロアサガオのつるが、支持棒に巻きつくかどうかを検討した。比較例１７では、ソライロアサガオのつるは、支持棒に接触しても、その部分から退色が起こらず、最終的にはソライロアサガオの生育に影響がみられず、指示棒の長さ以上への巻きつきが見られた。
【００２７】
【表６】
2004345992.tif 000007
【００２８】
【発明の効果】
本発明により、つる性植物が、金網、フェンス、コンクリート等の建築物に巻きついて生育することを抑制する事が可能になる。さらに詳しくは、道路およびその周辺のフェンス、コンクリート、金網をはじめ住宅等の外壁、金網およびフェンス、コンクリートに対して、つる性植物の生育を抑制する塗装に有用で、かかる効果が長期間持続する塗料組成物を提供することが可能になる。